【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
記録媒体を搬送経路に沿って搬送する搬送手段と、
前記搬送経路中の所定の記録位置で前記記録媒体に対して記録を行う記録手段と、
前記記録媒体を前記搬送経路から排出する排出手段と、
前記搬送手段、前記記録手段、前記排出手段を制御することにより、前記記録媒体の第１面および第２面へ記録を行う両面記録を実行するための制御手段とを備え、
前記制御手段は、
印刷命令に基づく両面記録が終了した記録媒体を全て前記排出手段によって排出する第１のモードと、
先の印刷命令に基づく最後の記録媒体への記録が前記第１面への記録で終了したとき前記排出手段により記録媒体を排出せず、次の印刷命令に備えて前記第１面への記録が終了した記録媒体を前記搬送経路中で待機させ、前記次の印刷命令に基づく最初の頁の記録を前記待機させた記録媒体の第２面に対して行う第２のモードと、を選択可能であることを特徴とする記録装置。
【請求項２】
前記制御手段は、前記第１のモードと、前記第２のモードとを所定の指示手段によって選択可能であることを特徴とする請求項１に記載の記録装置。
【請求項３】
前記印刷命令は、前記第１のモードを行うか、第２のモードを行うかを指示する命令と、記録媒体の少なくとも１つの面に記録を行うための記録データと、を少なくとも含むことを特徴とする請求項１または２に記載の記録装置。
【請求項４】
前記制御手段は、前記次の印刷命令に備えて第１面への記録が終了した前記記録媒体を待機させた場合、次の印刷命令に含まれる記録データを１８０°反転させ、待機している第１面への記録が終了した記録媒体の第２面に対して前記反転した記録データに基づいて記録を行うことを特徴とする請求項１に記載の記録装置。
【請求項５】
前記搬送経路は、前記記録手段によって前記記録媒体の第１面に記録が行われるように記録媒体を前記記録手段へと送る第１の搬送経路と、第１面への記録が終了した前記記録媒体の第２面に前記記録手段によって記録が行われるように第１面への記録が終了した記録媒体の表裏を反転させて前記記録手段へと送る第２の搬送経路とを含むことを特徴とする請求項１ないし４のいずれかに記載の記録装置。
【請求項６】
前記第１の経路は、記録媒体を一枚ずつ給送する給紙部から前記記録手段を経て前記排紙手段に至る経路であり、前記第２の経路は、前記排紙手段から記録手段の位置を通過し記録媒体の表裏を反転させる反転経路を経て再び前記記録手段に至る経路であることを特徴とする請求項５に記載の記録装置。
【請求項７】
前記制御手段は、前記次の印刷命令に備えて前記記録媒体を待機させる場合、前記第１面への記録が終了した記録媒体を前記排紙手段により保持した状態で停止させることを特徴とする請求項１ないし６のいずれかに記載の記録装置。
【請求項８】
前記記録媒体に対して記録が実行されている面が、記録媒体の第１面であるか第２面であるかを表す表示手段を設けたことを特徴とする請求項１ないし７のいずれかに記載の記録装置。
【請求項９】
記録媒体を搬送経路に沿って搬送する搬送手段と、
前記搬送経路中の所定の記録位置で前記記録媒体に対して記録を行う記録手段と、
前記記録媒体を前記搬送経路から排出する排出手段と、
前記搬送手段、前記記録手段、前記排出手段を制御することにより、前記記録媒体の第１面および第２面へ記録を行う両面記録を実行するための制御手段とを備え、
前記制御手段は、先の印刷命令に基づく最後の記録媒体への記録が前記第１面への記録で終了した場合、前記排出手段により前記記録媒体を排出せず、前記第１面への記録が終了した前記記録媒体を前記搬送経路中に待機させ、次の印刷命令を受けたら、当該次の印刷命令に基づく最初の頁の記録を前記待機させた記録媒体の第２面に対して行うことを特徴とする記録装置。
【請求項１０】
記録媒体を搬送経路に沿って搬送する搬送手段と、前記搬送経路中の所定の記録位置で前記記録媒体に対して記録を行う記録手段と、前記記録媒体を前記搬送経路から排出する排出手段と、前記搬送手段、前記記録手段、前記排出手段を制御することにより、前記記録媒体の第１面および第２面へ記録を行う両面記録を実行するための制御手段と、を備える記録装置を制御する方法であって、
前記両面記録を実行するための第１のモードおよび第２のモードを含む複数のモードの中から１つのモードを選択する工程を有し、
前記第１のモードは、印刷命令に基づく両面記録が終了した記録媒体を全て前記排出手段によって排出するモードであり、
前記第２のモードは、先の印刷命令に基づく最後の記録媒体への記録が前記第１面への記録で終了した場合、前記排出手段により記録媒体を排出せず、次の印刷命令に備えて前記第１面への記録が終了した前記記録媒体を前記搬送経路中で待機させ、前記次の印刷命令に基づく最初の頁の記録を前記待機させた記録媒体の第２面に対して行うモードであることを特徴とする記録装置の制御方法。
【請求項１１】
記録媒体を搬送経路に沿って搬送する搬送手段と、前記搬送経路中の所定の記録位置で前記記録媒体に対して記録を行う記録手段と、前記記録媒体を前記搬送経路から排出する排出手段と、前記搬送手段、前記記録手段、前記排出手段を制御することにより、前記記録媒体の第１面および第２面へ記録を行う両面記録を実行するための制御手段とを備える記録装置を制御する方法であって、
先の印刷命令に基づく最後の記録媒体への記録が前記第１面への記録で終了した場合、前記排出手段により前記記録媒体を排出せず、次の印刷命令に備えて前記第１面への記録が終了した記録媒体を前記搬送経路中で待機させ、前記次の印刷命令に基づく記録を、前記待機させた記録媒体に対して行うように、前記制御手段によって前記搬送手段、前記記録手段および前記排出手段を制御する工程を有することを特徴とする記録装置の制御方法。
【手続補正２】
【補正対象書類名】明細書
【補正対象項目名】００１８
【補正方法】変更
【補正の内容】
【００１８】
上記目的を達成するため、本発明に係る記録装置は、記録媒体を搬送経路に沿って搬送する搬送手段と、前記搬送経路中の所定の記録位置で前記記録媒体に対して記録を行う記録手段と、前記記録媒体を前記搬送経路から排出する排出手段と、前記搬送手段、前記記録手段、前記排出手段を制御することにより、前記記録媒体の第１面および第２面へ記録を行う両面記録を実行するための制御手段とを備え、前記制御手段は、印刷命令に基づく両面記録が終了した記録媒体を全て前記排出手段によって排出する第１のモードと、先の印刷命令に基づく最後の記録媒体への記録が前記第１面への記録で終了したとき前記排出手段により記録媒体を排出せず、次の印刷命令に備えて前記第１面への記録が終了した記録媒体を前記搬送経路中で待機させ、前記次の印刷命令に基づく最初の頁の記録を前記待機させた記録媒体の第２面に対して行う第２のモードと、を選択可能であることを特徴とする。
【手続補正３】
【補正対象書類名】明細書
【補正対象項目名】００１９
【補正方法】変更
【補正の内容】
【００１９】
また、本発明に係る記録装置は、記録媒体を搬送経路に沿って搬送する搬送手段と、前記搬送経路中の所定の記録位置で前記記録媒体に対して記録を行う記録手段と、前記記録媒体を前記搬送経路から排出する排出手段と、前記搬送手段、前記記録手段、前記排出手段を制御することにより、前記記録媒体の第１面および第２面へ記録を行う両面記録を実行するための制御手段とを備え、前記制御手段は、先の印刷命令に基づく最後の記録媒体への記録が前記第１面への記録で終了した場合、前記排出手段により前記記録媒体を排出せず、前記第１面への記録が終了した前記記録媒体を前記搬送経路中に待機させ、次の印刷命令を受けたら、当該次の印刷命令に基づく最初の頁の記録を前記待機させた記録媒体の第２面に対して行うことを特徴とする。
【手続補正４】
【補正対象書類名】明細書
【補正対象項目名】００２０
【補正方法】変更
【補正の内容】
【００２０】
また、本発明に係る記録装置の制御方法は、記録媒体を搬送経路に沿って搬送する搬送手段と、前記搬送経路中の所定の記録位置で前記記録媒体に対して記録を行う記録手段と、前記記録媒体を前記搬送経路から排出する排出手段と、前記搬送手段、前記記録手段、前記排出手段を制御することにより、前記記録媒体の第１面および第２面へ記録を行う両面記録を実行するための制御手段と、を備える記録装置を制御する方法であって、前記両面記録を実行するための第１のモードおよび第２のモードを含む複数のモードの中から１つのモードを選択する工程を有し、前記第１のモードは、印刷命令に基づく両面記録が終了した記録媒体を全て前記排出手段によって排出するモードであり、前記第２のモードは、先の印刷命令に基づく最後の記録媒体への記録が前記第１面への記録で終了した場合、前記排出手段により記録媒体を排出せず、次の印刷命令に備えて前記第１面への記録が終了した前記記録媒体を前記搬送経路中で待機させ、前記次の印刷命令に基づく最初の頁の記録を前記待機させた記録媒体の第２面に対して行うモードであることを特徴とする。
【手続補正５】
【補正対象書類名】明細書
【補正対象項目名】００２１
【補正方法】変更
【補正の内容】
【００２１】
また、本発明に係る記録装置の制御方法は、記録媒体を搬送経路に沿って搬送する搬送手段と、前記搬送経路中の所定の記録位置で前記記録媒体に対して記録を行う記録手段と、前記記録媒体を前記搬送経路から排出する排出手段と、前記搬送手段、前記記録手段、前記排出手段を制御することにより、前記記録媒体の第１面および第２面へ記録を行う両面記録を実行するための制御手段とを備える記録装置を制御する方法であって、先の印刷命令に基づく最後の記録媒体への記録が前記第１面への記録で終了した場合、前記排出手段により前記記録媒体を排出せず、次の印刷命令に備えて前記第１面への記録が終了した記録媒体を前記搬送経路中で待機させ、前記次の印刷命令に基づく記録を、前記待機させた記録媒体に対して行うように、前記制御手段によって前記搬送手段、前記記録手段および前記排出手段を制御する工程を有することを特徴とする。